(57)【要約】現用光クロスコネクト部と予備光クロスコネクト部から構成される光クロスコネクト装置において，送信ノードから受信ノードまでの伝送経路の正常時には，入力側の現用光ファイバ及び局内からの優先信号をスイッチングして，出力側の現用光ファイバ及び局内へ出力するとともに，入力側の予備光ファイバ及び局内からの非優先信号をスイッチングして，出力側の予備光ファイバ及び局内へ出力し，送信ノードから受信ノードまでの伝送経路障害時には，入力側光ファイバ及び局内からの優先信号をスイッチングして，出力側の予備光ファイバ及び局内へ出力するスイッチング手段を備えるように構成する。
2004084504.tif 000002
【特許請求の範囲】
【請求項１】
現用及び予備の１対の光ファイバによって構成され、送信ノードから受信ノードまで伝送の優先度が異なる優先信号及び非優先信号を伝送する光ネットワーク内の光クロスコネクト装置において、
前記送信ノードから受信ノードまでの伝送経路の正常時に、入力側の現用光ファイバ及び局内からの優先信号をスイッチングして、出力側の現用光ファイバ及び局内へ出力するとともに、入力側の予備光ファイバ及び局内からの非優先信号をスイッチングして、出力側の予備光ファイバ及び局内へ出力し、前記送信ノードから受信ノードまでの伝送経路の障害時に、前記入力側の予備光ファイバ及び局内からの優先信号をスイッチングして、出力側の予備光ファイバ及び局内へ出力するスイッチング手段を備える光クロスコネクト装置。
【請求項２】
請求項１に記載の光クロスコネクト装置において、
前記スイッチング手段は、
前記送信ノードから受信ノードまでの伝送経路の正常時に、入力側の現用光ファイバ及び局内からの優先信号をスイッチングして、出力側の現用光ファイバ及び局内へ出力する第１の光スイッチと、
前記送信ノードから受信ノードまでの伝送経路の正常時に、入力側の予備光ファイバ及び局内からの非優先信号をスイッチングして、出力側の予備光ファイバ及び局内へ出力し、前記送信ノードから受信ノードまでの伝送経路の障害時に、前記入力側の予備光ファイバ及び局内からの優先信号をスイッチングして、前記出力側の予備光ファイバ及び局内へ出力する第２の光スイッチと、
を備え、
前記送信ノードから受信ノードまでの伝送経路の正常時に、入力側の現用光ファイバ及び局内からの優先信号をスイッチングして、出力側の現用光ファイバ及び局内へ出力するとともに、入力側の予備光ファイバ及び局内からの非優先信号をスイッチングして、出力側の予備光ファイバ及び局内へ出力し、前記送信ノードから受信ノードまでの伝送経路の障害時に、前記入力側の予備光ファイバ及び局内からの優先信号をスイッチングして、出力側の予備光ファイバ及び局内へ出力する光クロスコネクト装置。
【請求項３】
現用波長帯域及び予備波長帯域を有する光ファイバによって構成され、送信ノードから受信ノードまで伝送の優先度が異なる優先信号及び非優先信号を伝送する光ネットワーク内の光クロスコネクト装置において、
前記送信ノードから受信ノードまでの伝送経路の正常時に、入力側の光ファイバの現用波長帯域及び局内からの優先信号をスイッチングして、出力側の光ファイバの現用波長帯域及び局内へ出力するとともに、入力側の光ファイバの予備波長帯域及び局内からの非優先信号をスイッチングして、出力側の光ファイバの予備波長帯域及び局内へ出力し、前記送信ノードから受信ノードまでの伝送経路の障害時に、前記入力側の光ファイバの予備波長帯域及び局内からの優先信号をスイッチングして、前記出力側の光ファイバの予備波長帯域及び局内へ出力するスイッチング手段と、
を備える光クロスコネクト装置。
【請求項４】
請求項３に記載の光クロスコネクト装置において、
前記スイッチング手段は、
前記送信ノードから受信ノードまでの伝送経路の正常時に、入力側の光ファイバの現用波長帯域及び局内からの優先信号をスイッチングして、出力側の光ファイバの現用波長帯域及び局内へ出力する第１の光スイッチと、
前記送信ノードから受信ノードまでの伝送経路の正常時に、入力側の光ファイバの予備波長帯域及び局内からの非優先信号をスイッチングして、出力側の光ファイバの予備波長帯域及び局内へ出力し、前記送信ノードから受信ノードまでの伝送経路の障害時に、前記入力側の光ファイバの予備波長帯域及び局内からの優先信号をスイッチングして、前記出力側の光ファイバの予備波長帯域及び局内へ出力する第２の光スイッチと、
を備え、
前記送信ノードから受信ノードまでの伝送経路の正常時に、入力側の光ファイバの現用波長帯域及び局内からの優先信号をスイッチングして、出力側の光ファイバの現用波長帯域及び局内へ出力するとともに、入力側の光ファイバの予備波長帯域及び局内からの非優先信号をスイッチングして、出力側の光ファイバの予備波長帯域及び局内へ出力し、前記送信ノードから受信ノードまでの伝送経路の障害時に、前記入力側の光ファイバの予備波長帯域及び局内からの優先信号をスイッチングして、前記出力側の光ファイバの予備波長帯域及び局内へ出力する光クロスコネクト装置。
【請求項５】
請求項２又は４に記載の光クロスコネクト装置において、
前記送信ノードから受信ノードまでの伝送経路の正常時に、入力側の優先信号用の局内回線からの優先信号を前記第１の光スイッチへ出力するとともに、前記入力側の非優先信号用の局内回線からの非優先信号を前記第２の光スイッチへ出力し、前記送信ノードから受信ノードまでの伝送経路の障害時に、前記入力側の優先信号用の局内回線からの優先信号を前記第２の光スイッチへ出力する第１の経路変換手段と、
前記送信ノードから受信ノードまでの伝送経路の正常時に、前記第１の光スイッチによりスイッチングされた優先信号を出力側の優先信号用の局内回線へ出力するとともに、前記第２の光スイッチによりスイッチングされた非優先信号を出力側の非優先信号用の局内回線へ出力し、前記送信ノードから受信ノードまでの伝送経路の障害時に、前記第２の光スイッチによりスイッチングされた優先信号を前記出力側の優先信号用の局内回線へ出力する第２の経路変換手段と、
を備える光クロスコネクト装置。
【請求項６】
請求項５に記載の光クロスコネクト装置において、
前記第１の経路変換手段は、入力端からの光信号を複数の出力端の何れかへ出力する第１の光分岐部と、複数の入力端からの光信号の何れかを出力端へ出力する第１の光選択部とを有し、
前記第１の光分岐部は、入力端が前記入力側の優先信号用の局内回線に接続され、出力端が前記第１の光スイッチと、第１の光分岐部の入力端とに接続され、前記送信ノードから受信ノードまでの伝送経路の正常時に、前記入力側の優先信号用の局内回線からの優先信号を前記第１の光スイッチへ出力し、前記送信ノードから受信ノードまでの伝送経路の障害時に、前記入力側の優先信号用の局内回線からの優先信号を前記第１の光選択部へ出力し、
前記第１の光選択部は、入力端が前記第１の光分岐部の出力端と、前記入力側の非優先信号用の局内回線とに接続され、出力端が前記第２の光スイッチに接続され、前記送信ノードから受信ノードまでの伝送経路の正常時に、前記入力側の非優先信号用の局内回線からの非優先信号を前記第２の光スイッチへ出力し、前記送信ノードから受信ノードまでの伝送経路の障害時に、前記第１の光選択部からの優先信号を前記第２の光スイッチへ出力する光クロスコネクト装置。
【請求項７】
請求項６に記載の光クロスコネクト装置において、
前記第１の光分岐部に代えて、入力端からの光信号を全ての出力端へ出力する第１の光分配部を有する光クロスコネクト装置。
【請求項８】
請求項５に記載の光クロスコネクト装置において、
前記第２の経路変換手段は、入力端からの光信号を複数の出力端の何れかへ出力する第２の光分岐部と、複数の入力端からの光信号の何れかを出力端へ出力する第２の光選択部とを有し、
前記第２の光分岐部は、入力端が前記第２の光スイッチに接続され、出力端が前記出力側の非優先信号用の局内回線と、前記第２の光選択部の入力端に接続され、前記送信ノードから受信ノードまでの伝送経路の正常時に、前記第２の光スイッチからの非優先信号を前記出力側の非優先信号用の局内回線へ出力し、前記送信ノードから受信ノードまでの伝送経路の障害時に、前記第２の光スイッチからの優先信号を前記第２の光選択部へ出力し、
前記第２の光選択部は、入力端が前記第１の光スイッチと、前記第２の光分岐部の出力端とに接続され、出力端が前記出力側の優先信号用の局内回線に接続され、前記送信ノードから受信ノードまでの伝送経路の正常時に、前記第１の光スイッチからの優先信号を前記出力側の優先信号用の局内回線へ出力し、前記送信ノードから受信ノードまでの伝送経路の障害時に、前記第２の光分岐部からの優先信号を前記出力側の優先信号用の局内回線へ出力する光クロスコネクト装置。
【請求項９】
請求項８に記載の光クロスコネクト装置において、
前記第２の光分岐部に代えて、入力端からの光信号を全ての出力端へ出力する第２の光分配部を有する光クロスコネクト装置。
【請求項１０】
現用及び予備の１対の光ファイバによって構成され、送信ノードから受信ノードまで伝送の優先度が異なる優先信号及び非優先信号を伝送する光ネットワーク内の光クロスコネクト装置において、
前記送信ノードから受信ノードまでの伝送経路の正常時に、入力側の現用光ファイバ及び局内からの優先信号をスイッチングして、出力側の現用光ファイバ及び局内へ出力するとともに、入力側の予備光ファイバ及び局内からの非優先信号をスイッチングして、出力側の予備光ファイバ及び局内へ出力し、前記送信ノードから受信ノードまでの伝送経路の障害時に、前記障害の箇所を迂回する伝送経路における入力側の予備光ファイバ及び局内からの優先信号をスイッチングして、前記障害の箇所を迂回する伝送経路における出力側の予備光ファイバ及び局内へ出力するスイッチング手段を備える光クロスコネクト装置。
【請求項１１】
請求項１０に記載の光クロスコネクト装置において、
前記スイッチング手段は、
前記送信ノードから受信ノードまでの伝送経路の正常時に、入力側の現用光ファイバ及び局内からの優先信号をスイッチングして、出力側の現用光ファイバ及び局内へ出力し、前記送信ノードから受信ノードまでの伝送経路の障害時に、前記障害の箇所を迂回する伝送経路における入力側の予備光ファイバ及び局内からの優先信号をスイッチングして、前記障害の箇所を迂回する伝送経路における出力側の予備光ファイバ及び局内へ出力する第１の光スイッチと、
前記送信ノードから受信ノードまでの伝送経路の正常時に、入力側の予備光ファイバ及び局内からの非優先信号をスイッチングして、出力側の予備光ファイバ及び局内へ出力する第２の光スイッチと、
を備え、
前記送信ノードから受信ノードまでの伝送経路の正常時に、入力側の現用光ファイバ及び局内からの優先信号をスイッチングして、出力側の現用光ファイバ及び局内へ出力するとともに、入力側の予備光ファイバ及び局内からの非優先信号をスイッチングして、出力側の予備光ファイバ及び局内へ出力し、前記送信ノードから受信ノードまでの伝送経路の障害時に、前記障害の箇所を迂回する伝送経路における入力側の予備光ファイバ及び局内からの優先信号をスイッチングして、前記障害の箇所を迂回する伝送経路における出力側の予備光ファイバ及び局内へ出力する光クロスコネクト装置。
【請求項１２】
請求項１１に記載の光クロスコネクト装置において、
前記送信ノードから受信ノードまでの伝送経路の正常時に、入力側の予備光ファイバからの非優先信号を前記第２の光スイッチへ出力し、前記送信ノードから受信ノードまでの伝送経路の障害時に、前記障害の箇所を迂回する伝送経路における入力側の予備光ファイバからの優先信号を前記第１の光スイッチへ出力する第１の経路変換手段と、
前記送信ノードから受信ノードまでの伝送経路の正常時に、前記第２の光スイッチからの非優先信号を出力側の予備光ファイバへ出力し、前記送信ノードから受信ノードまでの伝送経路の障害時に、前記第１の光スイッチからの優先信号を前記障害の箇所を迂回する伝送経路における出力側の予備光ファイバからへ出力する第２の経路変換手段と、
を備える光クロスコネクト装置。
【請求項１３】
請求項１２に記載の光クロスコネクト装置において、
前記第２の光スイッチは、前記第１の経路変換手段からの分波された複数の光信号毎に備えられている光クロスコネクト装置。
【請求項１４】
請求項１２に記載の光クロスコネクト装置において、
前記第２の光スイッチは、前記第１の経路変換手段からの分波された複数の光信号の全てを入力する光クロスコネクト装置。
【請求項１５】
請求項１２に記載の光クロスコネクト装置において、
前記第２の光スイッチは、
前記第１の経路変換手段からの光信号を電気信号に変換する光−電気変換器と、
前記光−電気変換器からの電気信号をスイッチングする電気スイッチと、
前記電気スイッチからの電気信号を光信号に変換する電気−光変換器と、
を備える光クロスコネクト装置。
【請求項１６】
請求項１１に記載の光クロスコネクト装置において、
前記第２の光スイッチからの非優先信号を局内へ出力する第１の非優先信号出力手段と、
前記局内からの非優先信号を前記第２の光スイッチへ出力する第２の非優先信号出力手段と、
を備える光クロスコネクト装置。
【請求項１７】
請求項１６に記載の光クロスコネクト装置において、
前記第２の非優先信号出力手段は、前記出力側の予備光ファイバに対応して、前記局内からの非優先信号を合波し、前記第２の光スイッチへ出力する光合波部を備える光クロスコネクト装置。
【請求項１８】
請求項１６に記載の光クロスコネクト装置において、
前記第２の非優先信号出力手段は、
前記局内からの非優先信号を合波する光合波部と、
前記光合波部からの非優先信号を全ての出力端から前記第２の光スイッチへ出力する光分配部を有する光クロスコネクト装置。
【請求項１９】
請求項１６に記載の光クロスコネクト装置において、
前記第１の非優先信号出力手段は、前記第２の光スイッチからの非優先信号を前記局内及び前記第２の非優先信号出力手段の何れかへ出力する光分岐部を備え、
前記第２の非優先信号出力手段は、前記局内及び前記第１の非優先信号出力手段からの非優先信号の何れかを前記第２の光スイッチへ出力する光選択部を備える光クロスコネクト装置。
【請求項２０】
請求項１９に記載の光クロスコネクト装置において、
前記光分岐部に代えて、前記第２の光スイッチからの非優先信号を前記局内及び前記第２の非優先信号出力手段の双方へ出力する光分配部を備える光クロスコネクト装置。
【請求項２１】
現用及び予備の１対の光ファイバによって構成され、送信ノードから受信ノードまで伝送の優先度が異なる優先信号及び非優先信号を伝送する光ネットワーク内に構成され、現用部と予備部からなる光クロスコネクト装置の光通信制御方法において、
前記送信ノードから受信ノードまでの伝送経路の正常時に、入力側の現用光ファイバ及び局内からの優先信号をスイッチングして、出力側の現用光ファイバ及び局内へ出力するとともに、入力側の予備光ファイバ及び局内からの非優先信号をスイッチングして、出力側の予備光ファイバ及び局内へ出力し、
前記送信ノードから受信ノードまでの伝送経路の障害時に、前記入力側の予備光ファイバ及び局内からの優先信号をスイッチングして、前記出力側の予備光ファイバ及び局内へ出力する光通信制御方法。
【請求項２２】
現用波長帯域及び予備波長帯域を有する光ファイバによって構成され、送信ノードから受信ノードまで伝送の優先度が異なる優先信号及び非優先信号を伝送する光ネットワーク内に構成され、現用部と予備部からなる光クロスコネクト装置の光通信制御方法において、
前記送信ノードから受信ノードまでの伝送経路の正常時に、入力側の光ファイバの現用波長帯域及び局内からの優先信号をスイッチングして、出力側の光ファイバの現用波長帯域及び局内へ出力するとともに、入力側の光ファイバの予備波長帯域及び局内からの非優先信号をスイッチングして、出力側の光ファイバの予備波長帯域及び局内へ出力し、
前記送信ノードから受信ノードまでの伝送経路の障害時に、前記入力側の光ファイバの予備波長帯域及び局内からの優先信号をスイッチングして、前記出力側の光ファイバの予備波長帯域及び局内へ出力する光通信制御方法。
【請求項２３】
現用及び予備の１対の光ファイバによって構成され、送信ノードから受信ノードまで伝送の優先度が異なる優先信号及び非優先信号を伝送する光ネットワーク内に構成され、現用部と予備部からなる光クロスコネクト装置の光通信制御方法において、
前記送信ノードから受信ノードまでの伝送経路の正常時に、入力側の現用光ファイバ及び局内からの優先信号をスイッチングして、出力側の現用光ファイバ及び局内へ出力するとともに、入力側の予備光ファイバ及び局内からの非優先信号をスイッチングして、出力側の予備光ファイバ及び局内へ出力し、
前記送信ノードから受信ノードまでの伝送経路の障害時に、前記障害の箇所を迂回する伝送経路における入力側の予備光ファイバ及び局内からの優先信号をスイッチングして、前記障害の箇所を迂回する伝送経路における出力側の予備光ファイバ及び局内へ出力する光通信制御方法。
【発明の詳細な説明】
【技術分野】  本発明は、光ファイバによって構成され、送信ノードから受信ノードまで伝送の優先度が異なる優先信号及び非優先信号を伝送する光ネットワーク内に構成される光クロスコネクト装置、及び、当該光クロスコネクト装置を用いた光通信制御方法に関する。
【背景技術】  情報通信の高速化、大容量化に伴い、ネットワークならびに伝送システムの広帯域化及び大容量化が必要とされている。その実現手段として、波長分割多重技術をベースとする光ネットワークの構築が望まれている。光クロスコネクト装置は、複数の光ファイバからの波長多重された光信号を波長毎に分離して光信号の状態でスイッチングを行い、再度、波長多重して所望の光ファイバに出力するものであり、光ネットワークを構築する上で中核となる。
図１は、光ネットワークの概要を示す図であり、送信ノードから受信ノードまでの伝送経路に障害が発生した場合に、伝送経路全体が切り替えられ、新たな伝送経路において光信号が予備光ファイバにより伝送される場合が示されている。
図１に示す光ネットワークは９個の光クロスコネクト装置（光ＸＣ）１〜９とこれら各光クロスコネクト装置間を接続する現用光ファイバ１１及び予備光ファイバ１２により構成される。
正常時において、光ＸＣ１に接続される送信ノードから光ＸＣ８に接続される受信ノードまで光信号が伝送される場合を考える。この場合、光ＸＣ１、２、５、８を結び、現用光ファイバ１１により構成される伝送経路が設定される。また、光ＸＣ２に接続される送信ノードから光ＸＣ９に接続される受信ノードまで光信号が伝送される場合を考える。この場合、光ＸＣ２、５、８、９を結び、現用光ファイバ１１により構成される伝送経路が設定される。
このような状態で、光ＸＣ２と光ＸＣ５との間に障害が発生した場合を考える。この場合、光ＸＣ２と光ＸＣ５とを接続する現用光ファイバ１１を含む伝送経路は、その全体が切り替えられ、且つ、切り替え後の伝送経路は、予備光ファイバ１２によって構成されることになる。具体的には、光ＸＣ１、２、５、８を結び、現用光ファイバ１１によって構成される伝送経路は、光ＸＣ１、４、７、８を結び、予備光ファイバ１２によって構成される伝送経路に切り替えられる。一方、光ＸＣ２、５、８、９を結び、現用光ファイバ１１によって構成される伝送経路は、光ＸＣ２、３、６、９を結び、予備光ファイバ１２によって構成される伝送経路に切り替えられる。
図２及び図３は、図１に示す伝送経路切り替えが行われる場合における光クロスコネクト装置の構成例を示す図である。なお、これらの図において、太線は、光信号の伝送経路を示す。
図２及び図３における光クロスコネクト装置は、入力側において、現用光ファイバ（Ｗ）７０１及び予備光ファイバ（Ｐ）７０２から構成されるｋ対の局間光ファイバ７００−１〜７００−ｋによって局外の装置と接続され、局内回線７１１−１〜７１１−ｊ（以下、これらをまとめて適宜「局内回線７１１」と称する）によって局内の装置に接続される。同様に、光クロスコネクト装置は、出力側において、現用光ファイバ（Ｗ）８０１及び予備光ファイバ（Ｐ）８０２から構成されるｋ対の局間光ファイバ８００−１〜８００−ｋによって局外の装置と接続され、局内回線８１１−１〜８１１−ｊ（以下、これらをまとめて適宜「局内回線８１１」と称する）によって局内の装置と接続される。
この光クロスコネクト装置は、現用光ファイバ７０１、８０１が接続される現用光クロスコネクト部５１０、予備光ファイバ７０２、８０２が接続される予備光クロスコネクト部５２０、光分配部（ＤＩＳ）５３０−１〜５３０−ｊ（以下、これらをまとめて適宜「光分配部５３０」と称する）、光選択部（ＳＥＬ）５５０−１〜５５０−ｊ（以下、これらをまとめて適宜「光選択部５５０」と称する）により構成される。更に、現用光クロスコネクト部５１０は、光分波器５１１−１〜５１１−ｋ（以下、これらをまとめて適宜「光分波器５１１」と称する）、光スイッチ５１２、光−電気−光変換器（Ｏ／Ｅ／Ｏ）５１３−１−１〜５１３−ｋ−ｎ（以下、これらをまとめて適宜「Ｏ／Ｅ／Ｏ５１３」と称する）、光合波器５１４−１−１〜５１４−ｋ−ｎ（以下、これらをまとめて適宜「光合波器５１４」と称する）により構成される。同様に、予備光クロスコネクト部５２０は、光分波器５２１−１〜５２１−ｋ（以下、これらをまとめて適宜「光分波器５２１」と称する）、光スイッチ５２２、光−電気−光変換器（Ｏ／Ｅ／Ｏ）５２３−１−１〜５２３−ｋ−ｎ（以下、これらをまとめて適宜「Ｏ／Ｅ／Ｏ５２３」と称する）、光合波器５２４−１−１〜５２４−ｋ−ｎ（以下、これらをまとめて適宜「光合波器５２４」と称する）により構成される。
送信ノードから受信ノードまでの伝送経路が正常である場合には、図２に示すように、局外の装置からの波長多重された光信号は、現用光ファイバ７０１を伝送され、現用光クロスコネクト部５１０に入力される。現用光クロスコネクト部５１０内の光分波器５１１−１〜５１１−ｋは、各現用光ファイバ７０１と１対１に接続されている。これら光分波器５１１は、波長多重された光信号を個々の波長（ここではλ１〜λｎ）の光信号に分波して光スイッチ５１２へ出力する。
一方、局内の装置からの光信号は、局内回線７１１を伝送され、光分配部５３０に入力される。光分配部５３０−１〜５３０−ｊは、入力端子が各局内回線７１１と１対１に接続されている。これら光分配部５３０は、入力される光信号を、現用光クロスコネクト部５１０内の光スイッチ５１２と予備光クロスコネクト部５２０内の光スイッチ５２２の双方に出力する。
光スイッチ５１２は、光信号が入力されると、当該光信号の伝送経路に応じてスイッチングを行い、Ｏ／Ｅ／Ｏ５１３及び光選択部５５０へ出力する。Ｏ／Ｅ／Ｏ５１３は、入力される光信号を電気信号に変換し、波形整形、増幅等を行った後、光信号に再度変換して光合波器５１４へ出力する。
光合波器５１４−１〜５１４−ｋは、各現用光ファイバ８０１と１対１に接続されている。これら光合波器５１４は、入力される光信号を波長多重して現用光ファイバ８０１へ出力する。
光選択部５５０−１〜５５０−ｊは、入力端子が光スイッチ５１２及び５２２と接続され、出力端子が各局内回線８１１と１対１に接続されている。これら光選択部５５０は、２つの入力端子に入力される光信号の一方を局内回線８１１へ出力する。ここでは、光選択部５５０は、光スイッチ５１２からの光信号のみが入力され、この光信号をそのまま局内回線８１１へ出力する。
一方、送信ノードから受信ノードまでの伝送経路に障害が発生した場合には、図３に示すように、局外の装置からの波長多重された光信号は、予備光ファイバ７０２を伝送され、予備光クロスコネクト部５２０に入力される。予備光クロスコネクト部５２０内の光分波器５２１−１〜５２１−ｋは、各予備光ファイバ７０２と１対１に接続されている。これら光分波器５２１は、波長多重された光信号を個々の波長（ここではλ１〜λｍ）の光信号に分波して光スイッチ５２２へ出力する。
一方、局内の装置からの光信号は、局内回線７１１を伝送され、光分配部５３０に入力される。光分配部５３０は、局外の装置からの光信号を、現用光クロスコネクト部５１０内の光スイッチ５１２と予備光クロスコネクト部５２０内の光スイッチ５２２の双方へ出力する。
光スイッチ５２２は、光信号が入力されると、当該光信号の伝送経路に応じてスイッチングを行い、Ｏ／Ｅ／Ｏ５２３及び光選択部５５０へ出力する。Ｏ／Ｅ／Ｏ５２３は、入力される光信号を電気信号に変換し、波形整形、増幅等を行った後、光信号に再度変換して光合波器５２４へ出力する。
光合波器５２４−１〜５２４−ｋは、各予備光ファイバ８０２と１対１に接続されている。これら光合波器５２４は、入力される光信号を波長多重して予備光ファイバ８０２へ出力する。一方、光選択部５５０は、光スイッチ５２２からの光信号を局内回線８１１へ出力する。
図４は、光ネットワークの概要を示す図であり、送信ノードから受信ノードまでの伝送経路に障害が発生した場合に、伝送経路全体が切り替えられ、新たな伝送経路において光信号が予備波長帯域のみにより伝送される場合が示されている。
図４に示す光ネットワークは９個の光クロスコネクト装置（光ＸＣ）１〜９とこれら各光クロスコネクト装置間を接続する現用波長帯域２１及び予備波長帯域２２を有する光ファイバにより構成される。
正常時において、光ＸＣ１に接続される送信ノードから光ＸＣ８に接続される受信ノードまで光信号が伝送される場合を考える。この場合、光ＸＣ１、２、５、８を結び、現用波長帯域２１により構成される伝送経路が設定される。また、光ＸＣ２に接続される送信ノードから光ＸＣ９に接続される受信ノードまで光信号が伝送される場合を考える。この場合、光ＸＣ２、５、８、９を結び、現用波長帯域２１により構成される伝送経路が設定される。
このような状態で、光ＸＣ２と光ＸＣ５との間に障害が発生した場合を考える。この場合、光ＸＣ２と光ＸＣ５とを接続する現用波長帯域２１を含む伝送経路は、その全体が切り替えられ、且つ、切り替え後の伝送経路は、予備波長帯域２２によって構成されることになる。具体的には、光ＸＣ１、２、５、８を結び、現用波長帯域２１によって構成される伝送経路は、光ＸＣ１、４、７、８を結び、予備波長帯域２２によって構成される伝送経路に切り替えられる。一方、光ＸＣ２、５、８、９を結び、現用波長帯域２１によって構成される伝送経路は、光ＸＣ２、３、６、９を結び、予備波長帯域２２によって構成される伝送経路に切り替えられる。
図５及び図６は、図４に示す伝送経路切り替えが行われる場合における光クロスコネクト装置の構成例を示す図である。なお、これらの図において、太線は、光信号の伝送経路を示す。
図５及び図６における光クロスコネクト装置は、入力側において、局間光ファイバ７００−１〜７００−ｋによって局外の装置と接続され、局内回線７１１−１〜７１１−ｊによって局内の装置に接続される。同様に、光クロスコネクト装置は、出力側において、局間光ファイバ８００−１〜８００−ｋによって局外の装置と接続され、局内回線８１１−１〜８１１−ｊによって局内の装置に接続される。
この光クロスコネクト装置は、図２及び図３と比較すると、波長分離部５４０−１〜５４０−ｋ（以下、これらをまとめて適宜「波長分離部５４０」と称する）と、光合成部５６０−１〜５６０−ｋ（以下、これらをまとめて適宜「光合成部５６０」と称する）とが新たに備えられている。
送信ノードから受信ノードまでの伝送経路が正常である場合には、図５に示すように、局外の装置からの波長多重された光信号は、局間光ファイバ７００の現用波長帯域（Ｗ）により伝送され、波長分離部５４０に入力される。波長分離部５４０−１〜５４０−ｋは、各局間光ファイバ７００と１対１に接続されている。これら波長分離部５４０は、入力される光信号が現用波長帯域により伝送されたことに応じて、当該光信号を現用光クロスコネクト部５１０へ出力する。現用光クロスコネクト部５１０内の光分波器５１１は、波長多重された光信号を個々の波長（ここではλ１〜λｎ）の光信号に分波して光スイッチ５１２へ出力する。
一方、局内の装置からの光信号は、図２と同様、局内回線７１１を伝送され、光分配部５３０に入力される。光分配部５３０は、入力される光信号を、現用光クロスコネクト部５１０内の光スイッチ５１２と予備光クロスコネクト部５２０内の光スイッチ５２２の双方へ出力する。
光スイッチ５１２は、光信号が入力されると、当該光信号の伝送経路に応じてスイッチングを行い、Ｏ／Ｅ／Ｏ５１３及び光選択部５５０へ出力する。Ｏ／Ｅ／Ｏ５１３は、入力される光信号を電気信号に変換し、波形整形、増幅等を行った後、光信号に再度変換して光合波器５１４へ出力する。光合波器５１４は、入力される光信号を波長多重して光合成部５６０へ出力する。光合成部５６０−１〜５６０−ｋは、各局間光ファイバ７００と１対１に接続されている。これら光合成部５４０は、入力される光信号を局間光ファイバ８００の現用波長帯域へ出力する。
光選択部５５０−１〜５５０−ｊは、入力端子が光スイッチ５１２及び５２２と接続され、出力端子が各局内回線８１１と１対１に接続されている。これら光選択部５５０は、２つの入力端子に入力される光信号の一方を局内回線８１１へ出力する。ここでは、光選択部５５０は、光スイッチ５１２からの光信号のみが入力され、この光信号をそのまま局内回線８１１へ出力する。
一方、送信ノードから受信ノードまでの伝送経路に障害が発生した場合には、図６に示すように、局外の装置からの波長多重された光信号は、局間光ファイバ７００の予備波長帯域（Ｗ）により伝送され、波長分離部５４０に入力される。波長分離部５４０は、入力される光信号が予備波長帯域により伝送されたことに応じて、当該光信号を予備光クロスコネクト部５２０へ出力する。現用光クロスコネクト部５２０内の光分波器５２１は、波長多重された光信号を個々の波長（ここではλｎ＋１〜λｍ）の光信号に分波して光スイッチ５２２へ出力する。
一方、局内の装置からの光信号は、図３と同様、局内回線７１１を伝送され、光分配部５３０に入力される。光分配部５３０は、入力される光信号を、光分配部５３０は、入力される光信号を、現用光クロスコネクト部５１０内の光スイッチ５１２と予備光クロスコネクト部５２０内の光スイッチ５２２の双方へ出力する。
光スイッチ５２２は、光信号が入力されると、当該光信号の伝送経路に応じてスイッチングを行い、Ｏ／Ｅ／Ｏ５２３へ出力する。Ｏ／Ｅ／Ｏ５２３は、入力される光信号を電気信号に変換し、波形整形、増幅等を行った後、光信号に再度変換して光合波器５２４へ出力する。光合波器５２４は、入力される光信号を波長多重して光合成部５６０へ出力する。光合成部５６０は、入力される光信号を局間光ファイバ８００の予備波長帯域へ出力する。一方、光選択部５５０は、光スイッチ５２２からの光信号を局内回線８１１へ出力する。
図７は、光ネットワークの概要を示す図であり、送信ノードから受信ノードまでの伝送経路に障害が発生した場合に、障害箇所の伝送経路のみが迂回経路に切り替えられ、当該迂回経路において光信号が予備光ファイバにより伝送される場合が示されている。
図７に示す光ネットワークは９個の光クロスコネクト装置（光ＸＣ）１〜９とこれら各光クロスコネクト装置間を接続する現用光ファイバ１１及び予備光ファイバ１２により構成される。
正常時において、光ＸＣ１に接続される送信ノードから光ＸＣ８に接続される受信ノードまで光信号が伝送される場合を考える。この場合、光ＸＣ１、２、５、８を結び、現用光ファイバ１１により構成される伝送経路が設定される。また、光ＸＣ２に接続される送信ノードから光ＸＣ９に接続される受信ノードまで光信号が伝送される場合を考える。この場合、光ＸＣ２、５、８、９を結び、現用光ファイバ１１により構成される伝送経路が設定される。
このような状態で、光ＸＣ２と光ＸＣ５との間に障害が発生した場合を考える。この場合、光ＸＣ２と光ＸＣ５とを接続する現用光ファイバ１１によって構成される伝送経路は、迂回経路に切り替えられ、且つ、その迂回経路は、予備光ファイバ１２によって構成されることになる。具体的には、光ＸＣ１、２、５、８を結び、現用光ファイバ１１によって構成される伝送経路は、障害箇所である光ＸＣ２と光ＸＣ５の間が、光ＸＣ２、３、６、５を結び、予備光ファイバ１２によって構成される迂回経路に切り替えられる。一方、光ＸＣ２、５、８、９を結び、現用光ファイバ１１によって構成される伝送経路は、障害箇所である光ＸＣ２と光ＸＣ５の間が、光ＸＣ２、３、６、５を結び、予備光ファイバ１２によって構成される迂回経路に切り替えられる。
図８及び図９は、図７に示す伝送経路切り替えが行われる場合における光クロスコネクト装置の構成例を示す図である。なお、これらの図において、太線は、光信号の伝送経路を示す。
図８及び図９における光クロスコネクト装置は、入力側において、現用光ファイバ７０１及び予備光ファイバ７０２から構成されるｋ対の局間光ファイバ７００−１〜７００−ｋによって局外の装置と接続され、局内回線７１１−１〜７１１−ｊによって局内の装置に接続される。同様に、光クロスコネクト装置は、出力側において、現用光ファイバ８０１及び予備光ファイバ８０２から構成されるｋ対の局間光ファイバ８００−１〜８００−ｋによって局外の装置と接続され、局内回線８１１−１〜８１１−ｊによって局内の装置に接続される。
この光クロスコネクト装置は、現用光クロスコネクト部５１０、予備光クロスコネクト部５２０、光選択部（ＳＥＬ）５４１−１〜５４１−ｋ（以下、これらをまとめて適宜「光選択部５４１」と称する）、光選択部（ＳＷ）５５１−１〜５５１−ｋ（以下、これらをまとめて適宜「光選択部５５１」と称する）により構成される。これらのうち、現用光クロスコネクト部５１０は、図２における現用クロスコネクト部５１０と同様の構成を有する。一方、予備光クロスコネクト部５２０は、光スイッチ５２５、５２９、光分波器５２６−１〜５２６−ｒ、光−電気−光変換器（Ｏ／Ｅ／Ｏ）５２７−１−１〜５１３−ｒ−ｍ（以下、これらをまとめて適宜「Ｏ／Ｅ／Ｏ５２７」と称する）、光合波器５２８−１−１〜５２８−ｒ−ｍ（以下、これらをまとめて適宜「光合波器５２８」と称する）により構成される。
送信ノードから受信ノードまでの伝送経路が正常である場合には、図８に示すように、局外の装置からの波長多重された光信号は、現用光ファイバ７０１を伝送され、光選択部５４１に入力される。光選択部５４１−１〜５４１−ｋは、各現用光ファイバ７０１と１対１に接続されている。これら光選択部５４１は、現用光ファイバ７０１からの光信号を現用光クロスコネクト部５１０へ出力する。
現用光クロスコネクト部５１０内の光分波器５１１−１〜５１１−ｋは、各光選択部５４１と１対１に接続されている。これら光分波器５１１は、波長多重された光信号を個々の波長（ここではλ１〜λｎ）の光信号に分波して光スイッチ５１２へ出力する。
一方、局内の装置からの光信号は、局内回線７１１を伝送され、現用光クロスコネクト部５１０内の光スイッチ５１２に入力される。
光スイッチ５１２は、光信号が入力されると、当該光信号の伝送経路に応じてスイッチングを行い、Ｏ／Ｅ／Ｏ５１３へ出力する。Ｏ／Ｅ／Ｏ５１３は、入力される光信号を電気信号に変換し、波形整形、増幅等を行った後、光信号に再度変換して光合波器５１４へ出力する。
光合波器５１４は、入力される光信号を波長多重して光選択部５５１へ出力する。光選択部５５１−１〜５５１−ｋは、各現用光ファイバ８０１と１対１に接続されている。これら光選択部５５１は、光信号を現用光ファイバ８０１へ出力する。
一方、送信ノードから受信ノードまでの伝送経路に障害が発生した場合には、図９に示すように、局外の装置から予備光ファイバ７０２を伝送された光信号は、予備光クロスコネクト部５２０に入力される。予備光クロスコネクト部５２０内の光スイッチ５２５は、光信号が入力されると、当該光信号の伝送経路に応じてスイッチングを行い、当該光信号の出力先が現用光ファイバ８０１又は局内回線８１１である場合には、光選択部５４１へ出力し、当該光信号の出力先が予備光ファイバ８０２である場合には、光分波器５２６へ出力する。
光分波器５２６は、波長多重された光信号を個々の波長（ここではλ１〜λｍ）の光信号に分波してＯ／Ｅ／Ｏ５２７へ出力する。Ｏ／Ｅ／Ｏ５２７は、入力される光信号を電気信号に変換し、波形整形、増幅等を行った後、光信号に再度変換して光合波器５２８へ出力する。光合波器５２８は、入力される光信号を波長多重して光スイッチ５２９へ出力する。
光スイッチ５２９は、光信号が入力されると、当該光信号の伝送経路に応じてスイッチングを行い、予備光ファイバ８０２へ出力する。
一方、光スイッチ５２５から光選択部５４１へ光信号が出力されると、当該光選択部５４１は、当該光信号を現用光クロスコネクト部５１０へ出力する。現用光クロスコネクト部５１０内の光分波器５１１は、波長多重された光信号を個々の波長の光信号に分波して光スイッチ５１２へ出力する。また、局内の装置からの光信号は、局内回線７１１を伝送され、現用光クロスコネクト部５１０内の光スイッチ５１２に入力される。
光スイッチ５１２は、光信号が入力されると、当該光信号の伝送経路に応じてスイッチングを行い、Ｏ／Ｅ／Ｏ５１３又は局内回線８１１へ出力する。Ｏ／Ｅ／Ｏ５１３は、入力される光信号を電気信号に変換し、波形整形、増幅等を行った後、光信号に再度変換して光合波器５１４へ出力する。
光合波器５１４は、入力される光信号を波長多重して光選択部５５１へ出力する。光選択部５５１は、入力される光信号を、その伝送経路に応じて現用光ファイバ８０１又は予備光クロスコネクト部５２０内の光スイッチ５２９へ出力する。光スイッチ５２９は、光信号が入力されると、当該光信号の伝送経路に応じてスイッチングを行い、予備光ファイバ８０２へ出力する。
上述した光クロスコネクト装置の従来技術としては、例えば日本国特許公開公報「特開平７−８６９８８」がある。
しかしながら、上述した光クロスコネクト装置では、例えば、光信号が、リアルタイム性の必要の有無等により伝送が優先される信号（優先信号）と優先されない信号（非優先信号）とに分類される場合、優先信号を非優先信号よりも優先して伝送するような通信制御については考慮されていなかった。
【発明の開示】
本発明は、上述した従来技術の問題点を解決する、伝送の優先度に応じた通信制御を可能とした光クロスコネクト装置及び光通信制御方法を提供することを総括的な目的としている。
本発明のより詳細な目的は、伝送経路に障害が発生した場合に、伝送の優先度の高い信号を優先的に伝送することが可能な光クロスコネクト装置及び光通信制御方法を実現することを目的とする。
この目的を達成するため、本発明に係る光クロスコネクト装置は、現用及び予備の１対の光ファイバによって構成され、送信ノードから受信ノードまで伝送の優先度が異なる優先信号及び非優先信号を伝送する光ネットワーク内の光クロスコネクト装置において、前記送信ノードから受信ノードまでの伝送経路の正常時に、入力側の現用光ファイバ及び局内からの優先信号をスイッチングして、出力側の現用光ファイバ及び局内へ出力するとともに、入力側の予備光ファイバ及び局内からの非優先信号をスイッチングして、出力側の予備光ファイバ及び局内へ出力し、前記送信ノードから受信ノードまでの伝送経路の障害時に、前記入力側の予備光ファイバ及び局内からの優先信号をスイッチングして、出力側の予備光ファイバ及び局内へ出力するスイッチング手段を備える。
このような光クロスコネクト装置によれば、伝送経路が正常の場合には、優先信号のみならず非優先信号についてもスイッチングを行い、伝送することにより、帯域の有効利用を図ることができ、一方、伝送経路に障害が発生した場合には、優先信号のみについてスイッチングを行い、伝送することにより、障害により帯域が減少しても優先信号を優先的に伝送することが可能となる。
【図面の簡単な説明】  本発明の他の目的、特徴及び利点は添付の図面を参照しながら以下の詳細な説明を読むことにより一層明瞭となるであろう。
図１は、従来の光ネットワークの第１の概要を示す図である。
図２は、図１における正常時の光クロスコネクト装置の構成例を示す図である。
図３は、図１における障害時の光クロスコネクト装置の構成例を示す図である。
図４は、従来の光ネットワークの第２の概要を示す図である。
図５は、図４における正常時の光クロスコネクト装置の構成例を示す図である。
図６は、図４における障害時の光クロスコネクト装置の構成例を示す図である。
図７は、従来の光ネットワークの第３の概要を示す図である。
図８は、図７における正常時の光クロスコネクト装置の構成例を示す図である。
図９は、図７における障害時の光クロスコネクト装置の構成例を示す図である。
図１０は、第１実施例における光ネットワークの概要を示す図である。
図１１は、図１０における正常時の光クロスコネクト装置の構成例を示す図である。
図１２は、図１０における障害時の光クロスコネクト装置の構成例を示す図である。
図１３は、図１０における光クロスコネクト装置の第１の変形例を示す図である。
図１４は、図１０における光クロスコネクト装置の第２の変形例を示す図である。
図１５は、図１０における光クロスコネクト装置の第３の変形例を示す図である。
図１６は、第２実施例における光ネットワークの概要を示す図である。
図１７は、図１６における正常時の光クロスコネクト装置の構成例を示す図である。
図１８は、図１６における障害時の光クロスコネクト装置の構成例を示す図である。
図１９は、図１６における光クロスコネクト装置の第１の変形例を示す図である。
図２０は、図１６における光クロスコネクト装置の第２の変形例を示す図である。
図２１は、図１６における光クロスコネクト装置の第３の変形例を示す図である。
図２２は、第２実施例における光ネットワークの概要を示す図である。
図２３は、図２２における正常時の光クロスコネクト装置内の予備光クロスコネクト部の構成例を示す図である。
図２４は、図２２における障害時の光クロスコネクト装置内の予備光クロスコネクト部の構成例を示す図である。
図２５は、図２２における障害時の光クロスコネクト装置内の予備光クロスコネクト部の第１の変形例を示す図である。
図２６は、図２２における障害時の光クロスコネクト装置内の予備光クロスコネクト部の第２の変形例を示す図である。
図２７は、図２２における障害時の光クロスコネクト装置内の予備光クロスコネクト部の第３の変形例を示す図である。
図２８は、図２２における障害時の光クロスコネクト装置内の予備光クロスコネクト部、ＰＣＡ入力部及びＰＣＡ出力部の構成例を示す図である。
図２９は、図２２における障害時の光クロスコネクト装置内の予備光クロスコネクト部、ＰＣＡ入力部及びＰＣＡ出力部の第１の変形例を示す図である。
図３０は、図２２における障害時の光クロスコネクト装置内の予備光クロスコネクト部、ＰＣＡ入力部及びＰＣＡ出力部の第２の変形例を示す図である。
図３１は、図２２における障害時の光クロスコネクト装置内の予備光クロスコネクト部、ＰＣＡ入力部及びＰＣＡ出力部の第３の変形例を示す図である。
【発明を実施するための最良の形態】  以下、本発明の実施例を図面に基づいて説明する。本発明の実施例において、光ネットワークは、伝送の優先度の異なる２種類の光信号（優先信号及び非優先信号）を伝送可能である。また、以下においては、非優先信号をＰＣＡ（Ｐｒｏｔｅｃｔｅｄ  Ｃｈａｎｎｅｌ  Ａｃｃｅｓｓ）信号と称する。
図１０は、第１実施例における、光ネットワークの概要を示す図であり、送信ノードから受信ノードまでの伝送経路に障害が発生した場合に、伝送経路全体が切り替えられ、新たな伝送経路において優先信号のみが予備光ファイバにより伝送される場合が示されている。
図１０に示す光ネットワークは、９個の光クロスコネクト装置（光ＸＣ）１〜９とこれら各光クロスコネクト装置間を接続する現用光ファイバ１１及び予備光ファイバ１２により構成される。
正常時において、光ＸＣ１に接続される送信ノードから光ＸＣ８に接続される受信ノードまで光信号が伝送される場合を考える。この場合、優先信号の伝送経路として、光ＸＣ１、２、５、８を結び、現用光ファイバ１１により構成される伝送経路が設定される。同様に、ＰＣＡ信号の伝送経路として、光ＸＣ１、２、５、８を結び、予備光ファイバ１２により構成される伝送経路が設定される。
また、光ＸＣ２に接続される送信ノードから光ＸＣ９に接続される受信ノードまで光信号が伝送される場合を考える。この場合、優先信号の伝送経路として、光ＸＣ２、５、８、９を結び、現用光ファイバ１１により構成される伝送経路が設定される。同様に、ＰＣＡ信号の伝送経路として、光ＸＣ２、５、８、９を結び、予備光ファイバ１２により構成される伝送経路が設定される。
このような状態で、光ＸＣ２と光ＸＣ５との間に障害が発生した場合を考える。この場合、光ＸＣ２と光ＸＣ５とを接続する現用光ファイバ１１を含む優先信号用の伝送経路は、その全体が切り替えられ、且つ、切り替え後の伝送経路は、予備光ファイバ１２によって構成されることになる。
具体的には、光ＸＣ１、２、５、８を結び、現用光ファイバ１１によって構成される優先信号用の伝送経路は、光ＸＣ１、４、７、８を結び、予備光ファイバ１２によって構成される伝送経路に切り替えられる。また、光ＸＣ２、５、８、９を結び、現用光ファイバ１１によって構成される優先信号用の伝送経路は、光ＸＣ２、３、６、９を結び、予備光ファイバ１２によって構成される伝送経路に切り替えられる。
一方、光ＸＣ２と光ＸＣ５とを接続する予備光ファイバ１２を含むＰＣＡ信号用の伝送経路は、その全体が消去される。
図１１及び図１２は、図１０に示す伝送経路切り替えが行われる場合における光クロスコネクト装置の構成例を示す図である。なお、これらの図において、太実線は優先信号の伝送経路を示し、太点線はＰＣＡ信号の伝送経路を示す。
図２及び図３における光クロスコネクト装置は、入力側において、現用光ファイバ（Ｗ）２０１及び予備光ファイバ（Ｐ）２０２から構成されるｋ対の局間光ファイバ２００−１〜２００−ｋによって局外の装置と接続され、優先信号用の局内回線２１１及びＰＣＡ信号用の局内回線２１２から構成されるｊ対の局内回線２１０−１〜２１０−ｊ（以下、これらをまとめて適宜「局内回線２１０」と称する）によって局内の装置に接続される。同様に、光クロスコネクト装置は、出力側において、現用光ファイバ（Ｗ）３０１及び予備光ファイバ（Ｐ）３０２から構成されるｋ対の局間光ファイバ３００−１〜３００−ｋによって局外の装置と接続され、優先信号用の局内回線３１１及びＰＣＡ信号用の局内回線３１２から構成されるｊ対の局内回線３１０−１〜３１０−ｊ（以下、これらをまとめて適宜「局内回線３１０」と称する）によって局内の装置に接続される。
この光クロスコネクト装置は、現用光ファイバ２０１、３０１が接続される現用光クロスコネクト部１１０、予備光ファイバ２０２、３０２が接続される予備光クロスコネクト部１２０、光分岐部（ＢＲＡ）１３０−１〜１３０−ｊ（以下、これらをまとめて適宜「光分岐部１３０」と称する）、光選択部（ＳＥＬ）１３１−１〜１３１−ｊ（以下、これらをまとめて適宜「光選択部１３１」と称する）、光分岐部（ＢＲＡ）１５０−１〜１５０−ｊ（以下、これらをまとめて適宜「光分岐部１５０」と称する）、光選択部（ＳＥＬ）１５１−１〜１５１−ｊ（以下、これらをまとめて適宜「光選択部１５１」と称する）により構成される。
更に、現用光クロスコネクト部１１０は、光分波器１１１−１〜１１１−ｋ（以下、これらをまとめて適宜「光分波器１１１」と称する）、光スイッチ１１２、光−電気−光変換器（Ｏ／Ｅ／Ｏ）１１３−１−１〜１１３−ｋ−ｎ（以下、これらをまとめて適宜「Ｏ／Ｅ／Ｏ１１３」と称する）、光合波器１１４−１−１〜１１４−ｋ−ｎ（以下、これらをまとめて適宜「光合波器１１４」と称する）により構成される。同様に、予備光クロスコネクト部１１０は、光分波器１２１−１〜１２１−ｋ（以下、これらをまとめて適宜「光分波器１２１」と称する）、光スイッチ１２２、光−電気−光変換器（Ｏ／Ｅ／Ｏ）１２３−１−１〜１２３−ｋ−ｎ（以下、これらをまとめて適宜「Ｏ／Ｅ／Ｏ１２３」と称する）、光合波器１２４−１−１〜１２４−ｋ−ｎ（以下、これらをまとめて適宜「光合波器１２４」と称する）により構成される。
送信ノードから受信ノードまでの伝送経路が正常である場合には、図１１に示すように、局外の装置からの波長多重された優先信号は、現用光ファイバ２０１を伝送され、現用光クロスコネクト部１１０に入力される。現用光クロスコネクト部１１０内の光分波器１１１−１〜１１１−ｋは、入力端子が現用光ファイバ２０１と１対１に接続されている。これら光分波器１１１は、波長多重された優先信号を個々の波長（ここではλ１〜λｎ）の光信号に分波して光スイッチ１１２へ出力する。
一方、局内の装置からの優先信号は、局内回線２１１を伝送され、光分岐部１３０に入力される。光分岐部１３０−１〜１３０−ｊは、入力端子が局内回線２１１と１対１に接続されるとともに、出力端子ａが現用光クロスコネクト部１１０内の光スイッチ１１２に接続され、出力端子ｂが光選択部１３１−１〜１３１−ｊと１対１に接続されている。これら光分岐部１３０は、入力される優先信号を、光スイッチ１１２と光選択部１３１の何れかに出力する。ここでは、光分岐部１３０は、局外の装置からの優先信号が現用光クロスコネクト部１１０内の光スイッチ１１２へ入力されていることに応じて、局内の装置からの優先信号を当該光スイッチ１１２へ出力する。
光スイッチ１１２は、優先信号が入力されると、当該優先信号の伝送経路に応じてスイッチングを行い、当該優先信号を更に局外へ伝送する必要のある場合にはＯ／Ｅ／Ｏ１１３へ出力し、局内に取り込む必要のある場合には光選択部１５１へ出力する。
Ｏ／Ｅ／Ｏ１１３は、入力される光信号を電気信号に変換し、波形整形、増幅等を行った後、光信号に再度変換して光合波器１１４へ出力する。光合波器１１４−１〜１１４−ｋは、出力端子が現用光ファイバ３０１と１対１に接続されている。これら光合波器１１４は、入力される光信号（優先信号）を波長多重して現用光ファイバ３０１へ出力する。
光選択部１５１−１〜１５１−ｊは、入力端子ｅが光スイッチ１１２に接続され、入力端子ｆが光分岐部１５０−１〜１５１−ｊと１対１に接続されるとともに、出力端子が局内回線３１１と１対１に接続されている。これら光選択部１５１は、２つの入力端子に入力される光信号の一方を局内回線３１１へ出力する。ここでは、光選択部１５１は、光スイッチ１１２からの優先信号のみが入力され、この優先信号をそのまま局内回線３１１へ出力する。
一方、局外の装置からの波長多重されたＰＣＡ信号は、予備光ファイバ２０２を伝送され、予備光クロスコネクト部１２０に入力される。予備光クロスコネクト部１２０内の光分波器１２１−１〜１２１−ｋは、入力端子が予備光ファイバ２０２と１対１に接続されている。これら光分波器１２１は、波長多重されたＰＣＡ信号を個々の波長（ここではλ１〜λｍ）の光信号に分波して光スイッチ１２２へ出力する。
一方、局内の装置からのＰＣＡ信号は、局内回線２１２を伝送され、光選択部１３１に入力される。光選択部１３１−１〜１３１−ｊは、入力端子ｃが光分岐部１３０−１〜１３０−ｊと１対１に接続され、入力端子ｄが局内回線２１２と１対１に接続されるとともに、出力端子が予備光クロスコネクト部１２０内の光スイッチ１２２に接続されている。これら光選択部１３１は、２つの入力端子に入力される光信号の一方を出力する。ここでは、光選択部１３１は、局内回線２１２からのＰＣＡ信号のみが入力され、このＰＣＡ信号をそのまま光スイッチ１２２へ出力する。
光スイッチ１２２は、ＰＣＡ信号が入力されると、当該ＰＣＡ信号の伝送経路に応じてスイッチングを行い、当該ＰＣＡ信号を更に局外へ伝送する必要のある場合にはＯ／Ｅ／Ｏ１２３へ出力し、局内に取り込む必要のある場合には光分岐部１５０へ出力する。
Ｏ／Ｅ／Ｏ１２３は、入力される光信号を電気信号に変換し、波形整形、増幅等を行った後、光信号に再度変換して光合波器１２４へ出力する。光合波器１２４−１〜１２４−ｋは、出力端子が現用光ファイバ３０１と１対１に接続されている。これら光合波器１２４は、入力される光信号（ＰＣＡ信号）を波長多重して予備光ファイバ３０２へ出力する。
光分岐部１５０−１〜１５１−ｊは、入力端子が光スイッチ１２２に接続されるとともに、出力端子ｇが光選択部１５１−１〜１５１−ｊと１対１に接続され、出力端子ｈが局内回線３１２と１対１に接続されている。これら光分岐部１５０は、入力される光信号を、光選択部１５１と局内回線３１２の何れかに出力する。ここでは、光分岐部１５０は、光スイッチ１２２からのＰＣＡ信号のみが入力されているため、このＰＣＡ信号をＰＣＡ信号用の局内回線３１２へ出力する。
一方、送信ノードから受信ノードまでの伝送経路に障害が発生した場合には、図１２に示すように、局外の装置からの波長多重された優先信号は、予備光ファイバ２０２を伝送され、予備光クロスコネクト部１２０に入力される。予備光クロスコネクト部１２０内の光分波器１２１は、波長多重された優先信号を個々の波長（ここではλ１〜λｍ）の光信号に分波して光スイッチ１２２へ出力する。
一方、局内の装置からの優先信号は、局内回線２１１を伝送され、光分岐部１３０に入力される。光分岐部１３０は、障害が発生し、局外の装置からの優先信号が予備光クロスコネクト部１２０内の光スイッチ１２２へ入力されていることに応じて、局内の装置からの優先信号を光選択部１３１へ出力する。また、局内の装置からのＰＣＡ信号は、局内回線２１２を伝送され、光選択部１３１に入力される。
光選択部１３１は、障害が発生し、局外の装置からの優先信号が光スイッチ１２２へ入力されていることに応じて、入力される優先信号とＰＣＡ信号のうち、優先信号を選択して光スイッチ１２２へ出力する。
光スイッチ１２２は、優先信号が入力されると、当該優先信号の伝送経路に応じてスイッチングを行い、当該優先信号を更に局外へ伝送する必要のある場合にはＯ／Ｅ／Ｏ１２３へ出力し、局内に取り込む必要のある場合には光分岐部１５０へ出力する。
Ｏ／Ｅ／Ｏ１２３は、入力される光信号を電気信号に変換し、波形整形、増幅等を行った後、光信号に再度変換して光合波器１２４へ出力する。光合波器１２４−１〜１２４−ｋは、出力端子が現用光ファイバ３０１と１対１に接続されている。これら光合波器１２４は、入力される光信号（優先信号）を波長多重して予備光ファイバ３０２へ出力する。
光分岐部１５０は、入力される光信号を、光選択部１５１と局内回線３１２の何れかに出力する。ここでは、光分岐部１５０は、入力される光信号が優先信号であることに応じて、当該優先信号を優先信号用の局内回線３１１へ出力するために、光選択部１５１へ出力する。光選択部１５１は、光分岐部１５０からの優先信号のみが入力され、この優先信号をそのまま局内回線３１１へ出力する。
ところで、図１１及び図１２では、局内回線２１１からの優先信号の出力先を決定する装置として光分岐部１３０を備え、光スイッチ１２２からのＰＣＡ信号の出力先を決定する装置として光分岐部１５０を備えたが、図１３に示すように光分岐部１３０の代わりに光分配部１３２を備え、光分岐部１５０の代わりに光分配部１５２を備えるようにしても良い。あるいは、図１４に示すように光分岐部１５０のみ光分配部１５２に代えても良く、図１５に示すように光分岐部１３０のみ光分配部１３２に代えても良い。
光分岐部１３０の代わりに光分配部１３２を備えた場合、当該光分配部１３２は、局内回線２１１からの優先信号を出力端子ａから光スイッチ１１２へ出力するとともに、出力端子ｂから光選択部１３１へ出力する。この際、光スイッチ１１２は、伝送経路が正常の場合にのみスイッチングを行い、障害の場合には行わない。一方、光選択部１３１は、伝送経路が正常の場合には局内回線３１２からのＰＣＡ信号を光スイッチ１２２へ出力し、障害の場合には光分配部１３２からの優先信号を光スイッチ１２２へ出力する。
また、光分岐部１５０の代わりに光分配部１５２を備えた場合、当該光分配部１５２は、伝送経路が正常の場合には、光スイッチ１２２からのＰＣＡ信号を出力端子ｇから光選択部１５１へ出力するとともに、出力端子ｈから局内回線３１２へ出力する。この際、光選択部１５１は、光スイッチ１１２からの優先信号を局内回線３１１へ出力する。一方、光分配部１５２は、伝送経路が障害の場合には、光スイッチ１２２からの優先信号を出力端子ｇから光選択部１５１へ出力するとともに、出力端子ｈから局内回線３１２へ出力する。この際、光選択部１５１は、光スイッチ１１２からの優先信号を局内回線３１１へ出力する。
図１６は、第２実施例における、光ネットワークの概要を示す図であり、送信ノードから受信ノードまでの伝送経路に障害が発生した場合に、伝送経路全体が切り替えられ、新たな伝送経路において優先信号のみが光ファイバの予備波長帯域により伝送される場合が示されている。
図１６に示す光ネットワークは、９個の光クロスコネクト装置（光ＸＣ）１〜９とこれら各光クロスコネクト装置間を接続する現用波長帯域２１及び予備波長帯域２２を有する光ファイバにより構成される。
正常時において、光ＸＣ１に接続される送信ノードから光ＸＣ８に接続される受信ノードまで光信号が伝送される場合を考える。この場合、優先信号の伝送経路として、光ＸＣ１、２、５、８を結び、現用波長帯域２１により構成される伝送経路が設定される。同様に、ＰＣＡ信号の伝送経路として、光ＸＣ１、２、５、８を結び、予備波長帯域２２により構成される伝送経路が設定される。
また、光ＸＣ２に接続される送信ノードから光ＸＣ９に接続される受信ノードまで光信号が伝送される場合を考える。この場合、優先信号の伝送経路として、光ＸＣ２、５、８、９を結び、現用波長帯域２１により構成される伝送経路が設定される。同様に、ＰＣＡ信号の伝送経路として、光ＸＣ２、５、８、９を結び、予備波長帯域２２により構成される伝送経路が設定される。
このような状態で、光ＸＣ２と光ＸＣ５との間に障害が発生した場合を考える。この場合、光ＸＣ２と光ＸＣ５とを接続する現用波長帯域２１を含む優先信号用の伝送経路は、その全体が切り替えられ、且つ、切り替え後の伝送経路は、予備波長帯域２２によって構成されることになる。
具体的には、光ＸＣ１、２、５、８を結び、現用波長帯域２１によって構成される優先信号用の伝送経路は、光ＸＣ１、４、７、８を結び、予備波長帯域２２によって構成される伝送経路に切り替えられる。また、光ＸＣ２、５、８、９を結び、現用波長帯域２１によって構成される優先信号用の伝送経路は、光ＸＣ２、３、６、９を結び、予備波長帯域２２によって構成される伝送経路に切り替えられる。
一方、光ＸＣ２と光ＸＣ５とを接続する予備波長帯域２２を含むＰＣＡ信号用の伝送経路は、その全体が消去される。
図１７及び図１８は、図１６に示す伝送経路切り替えが行われる場合における光クロスコネクト装置の構成例を示す図である。なお、これらの図において、太実線は優先信号の伝送経路を示し、太点線はＰＣＡ信号の伝送経路を示す。
図１７及び図１８における光クロスコネクト装置は、図１１及び図１２と比較すると、波長分離部１４０−１〜１４０−ｋ（以下、これらをまとめて適宜「波長分離部１４０」と称する）と、光合成部１６０−１〜１６０−ｋ（以下、これらをまとめて適宜「光合成部１６０」と称する）とが新たに備えられている。
光クロスコネクト装置は、入力側において、現用波長帯域（Ｗ）及び予備波長帯域（Ｐ）を有する局間光ファイバ２００−１〜２００−ｋによって局外の装置と接続され、優先信号用の局内回線２１１及びＰＣＡ信号用の局内回線２１２から構成されるｊ対の局内回線２１０−１〜２１０−ｊ（以下、これらをまとめて適宜「局内回線２１０」と称する）によって局内の装置に接続される。同様に、光クロスコネクト装置は、出力側において、現用波長帯域（Ｗ）及び予備波長帯域（Ｐ）を有する局間光ファイバ３００−１〜３００−ｋによって局外の装置と接続され、優先信号用の局内回線３１１及びＰＣＡ信号用の局内回線３１２から構成されるｊ対の局内回線３１０−１〜３１０−ｊ（以下、これらをまとめて適宜「局内回線３１０」と称する）によって局内の装置に接続される。
送信ノードから受信ノードまでの伝送経路が正常である場合には、図１７に示すように、局外の装置からの波長多重された優先信号が局間光ファイバ２００の現用波長帯域を伝送され、局外の装置からの波長多重されたＰＣＡ信号が局間光ファイバ２００の予備波長帯域を伝送され、それぞれ波長分離部１４０に入力される。
波長分離部１４０−１〜１４０−ｋは、入力端子が局間光ファイバ２００と１対１に接続されるとともに、２つの出力端子が現用光クロスコネクト部１１０及び予備光クロスコネクト部１２０に接続されている。これら波長分離部１４０は、局間光ファイバ２００の現用波長帯域を伝送される優先信号と、予備波長帯域を伝送されるＰＣＡ信号とを分離し、優先信号を現用光クロスコネクト部１１０へ出力し、ＰＣＡ信号を予備光クロスコネクト部１２０へ出力する。
現用光クロスコネクト部１１０内の光分波器１１１−１〜１１１−ｋは、入力端子が波長分離部１４０と１対１に接続されている。これら光分波器１１１は、波長多重された優先信号を個々の波長（ここではλ１〜λｎ）の光信号に分波して光スイッチ１１２へ出力する。
一方、局内の装置からの優先信号は、局内回線２１１を伝送され、光分岐部１３０に入力される。光分岐部１３０は、入力される優先信号を、光スイッチ１１２と光選択部１３１の何れかに出力する。ここでは、光分岐部１３０は、局外の装置からの優先信号が現用光クロスコネクト部１１０内の光スイッチ１１２へ入力されていることに応じて、局内の装置からの優先信号を当該光スイッチ１１２へ出力する。
光スイッチ１１２は、優先信号が入力されると、当該優先信号の伝送経路に応じてスイッチングを行い、当該優先信号を更に局外へ伝送する必要のある場合にはＯ／Ｅ／Ｏ１１３へ出力し、局内に取り込む必要のある場合には光選択部１５１へ出力する。
Ｏ／Ｅ／Ｏ１１３は、入力される光信号を電気信号に変換し、波形整形、増幅等を行った後、光信号に再度変換して光合波器１１４へ出力する。光合波器１１４−１〜１１４−ｋは、出力端子が現用光ファイバ３０１と１対１に接続されている。これら光合波器１１４は、入力される光信号（優先信号）を波長多重して光合成部１６０へ出力する。
光選択部１５１は、２つの入力端子に入力される光信号の一方を局内回線３１１へ出力する。ここでは、光選択部１５１は、光スイッチ１１２からの優先信号のみが入力され、この優先信号をそのまま局内回線３１１へ出力する。
一方、予備光クロスコネクト部１２０内の光分波器１２１−１〜１２１−ｋは、入力端子が波長分離部１４０と１対１に接続されている。これら光分波器１２１は、波長多重されたＰＣＡ信号を個々の波長（ここではλｎ＋１〜λｍ）の光信号に分波して光スイッチ１２２へ出力する。
一方、局内の装置からのＰＣＡ信号は、局内回線２１２を伝送され、光選択部１３１に入力される。これら光選択部１３１は、２つの入力端子に入力される光信号の一方を出力する。ここでは、光選択部１３１は、局内回線２１２からのＰＣＡ信号のみが入力され、このＰＣＡ信号をそのまま光スイッチ１２２へ出力する。
光スイッチ１２２は、ＰＣＡ信号が入力されると、当該ＰＣＡ信号の伝送経路に応じてスイッチングを行い、当該ＰＣＡ信号を更に局外へ伝送する必要のある場合にはＯ／Ｅ／Ｏ１２３へ出力し、局内に取り込む必要のある場合には光分岐部１５０へ出力する。
Ｏ／Ｅ／Ｏ１２３は、入力される光信号を電気信号に変換し、波形整形、増幅等を行った後、光信号に再度変換して光合波器１２４へ出力する。光合波器１２４は、入力される光信号（ＰＣＡ信号）を波長多重して光合成部１６０へ出力する。
光分岐部１５０は、入力される光信号を、光選択部１５１と局内回線３１２の何れかに出力する。ここでは、光分岐部１５０は、光スイッチ１２２からのＰＣＡ信号のみが入力されているため、このＰＣＡ信号をＰＣＡ信号用の局内回線３１２へ出力する。
光合成部１６０−１〜１６０−ｋは２つの入力端子が現用光クロスコネクト部１１０内の光合波器１１４及び予備光クロスコネクト部１２０内の光合波器１２４に接続されるとともに、出力端子が局間光ファイバ３００と１対１に接続されている。これら光合成部１６０は、現用光クロスコネクト部１１０内の光合波器１１４からの優先信号を局間光ファイバ３００の現用波長帯域へ出力するとともに、予備光クロスコネクト部１２０内の光合波器１２４からのＰＣＡ信号を局間光ファイバ３００の予備波長帯域へ出力する。
一方、送信ノードから受信ノードまでの伝送経路に障害が発生した場合には、図１８に示すように、局外の装置からの波長多重された優先信号が局間光ファイバ２００の予備波長帯域を伝送され、波長分離部１４０に入力される。波長分離部１４０は、局間光ファイバ２００の予備波長帯域を伝送される優先信号を予備光クロスコネクト部１２０へ出力する。
一方、局内の装置からの優先信号は、局内回線２１１を伝送され、光分岐部１３０に入力される。光分岐部１３０は、障害が発生し、局外の装置からの優先信号が予備光クロスコネクト部１２０内の光スイッチ１２２へ入力されていることに応じて、局内の装置からの優先信号を光選択部１３１へ出力する。また、局内の装置からのＰＣＡ信号は、局内回線２１２を伝送され、光選択部１３１に入力される。
光選択部１３１は、障害が発生し、局外の装置からの優先信号が光スイッチ１２２へ入力されていることに応じて、入力される優先信号とＰＣＡ信号のうち、優先信号を選択して光スイッチ１２２へ出力する。
光スイッチ１２２は、優先信号が入力されると、当該優先信号の伝送経路に応じてスイッチングを行い、当該優先信号を更に局外へ伝送する必要のある場合にはＯ／Ｅ／Ｏ１２３へ出力し、局内に取り込む必要のある場合には光分岐部１５０へ出力する。
Ｏ／Ｅ／Ｏ１２３は、入力される光信号を電気信号に変換し、波形整形、増幅等を行った後、光信号に再度変換して光合波器１２４へ出力する。光合波器１２４は、入力される光信号（優先信号）を波長多重して光合成部１６０へ出力する。光合成部１６０は、予備光クロスコネクト部１２０内の光合波器１２４からの優先信号を局間光ファイバ３００の予備波長帯域へ出力する。
一方、光分岐部１５０は、入力される光信号が優先信号であることに応じて、当該優先信号を優先信号用の局内回線３１１へ出力するために、光選択部１５１へ出力する。光選択部１５１は、光分岐部１５０からの優先信号のみが入力され、この優先信号をそのまま局内回線３１１へ出力する。
ところで、図１７及び図１８では、局内回線２１１からの優先信号の出力先を決定する装置として光分岐部１３０を備え、光スイッチ１２２からのＰＣＡ信号の出力先を決定する装置として光分岐部１５０を備えたが、図１９に示すように光分岐部１３０の代わりに光分配部１３２を備え、光分岐部１５０の代わりに光分配部１５２を備えるようにしても良い。あるいは、図２０に示すように光分岐部１５０のみ光分配部１５２に代えても良く、図２１に示すように光分岐部１３０のみ光分配部１３２に代えても良い。
光分岐部１３０の代わりに光分配部１３２を備えた場合、当該光分配部１３２は、局内回線３１１からの優先信号を出力端子ａから光スイッチ１１２へ出力するとともに、出力端子ｂから光選択部１３１へ出力する。この際、光スイッチ１１２は、伝送経路が正常の場合にのみスイッチングを行い、障害の場合には行わない。一方、光選択部１３１は、伝送経路が正常の場合には局内回線３１２からのＰＣＡ信号を光スイッチ１２２へ出力し、障害の場合には光分配部１３２からの優先信号を光スイッチ１２２へ出力する。
また、光分岐部１５０の代わりに光分配部１５２を備えた場合、当該光分配部１５２は、伝送経路が正常の場合には、光スイッチ１２２からのＰＣＡ信号を出力端子ｇから光選択部１５１へ出力するとともに、出力端子ｈから局内回線３１２へ出力する。この際、光選択部１５１は、光スイッチ１１２からの優先信号を局内回線３１１へ出力する。一方、光分配部１５２は、伝送経路が障害の場合には、光スイッチ１２２からの優先信号を出力端子ｇから光選択部１５１へ出力するとともに、出力端子ｈから局内回線３１２へ出力する。この際、光選択部１５１は、光スイッチ１１２からの優先信号を局内回線３１１へ出力する。
図２２は、第３実施例における、光ネットワークの概要を示す図であり、送信ノードから受信ノードまでの伝送経路に障害が発生した場合に、障害箇所の伝送経路のみが迂回経路に切り替えられ、当該迂回経路において光信号が予備光ファイバにより伝送される場合が示されている。
図２２に示す光ネットワークは、９個の光クロスコネクト装置（光ＸＣ）１〜９とこれら各光クロスコネクト装置間を接続する現用光ファイバ１１及び予備光ファイバ１２により構成される。
正常時において、光ＸＣ１に接続される送信ノードから光ＸＣ８に接続される受信ノードまで光信号が伝送される場合を考える。この場合、優先信号用の伝送経路として、光ＸＣ１、２、５、８を結び、現用光ファイバ１１により構成される優先信号用の伝送経路が設定される。同様に、ＰＣＡ信号の伝送経路として、光ＸＣ１、２、５、８を結び、予備光ファイバ１２により構成される伝送経路が設定される。
また、光ＸＣ２に接続される送信ノードから光ＸＣ９に接続される受信ノードまで光信号が伝送される場合を考える。この場合、優先信号用の伝送経路として、光ＸＣ２、５、８、９を結び、現用光ファイバ１１により構成される優先信号用の伝送経路が設定される。同様に、ＰＣＡ信号の伝送経路として、光ＸＣ２、５、８、９を結び、予備波長帯域２２により構成される伝送経路が設定される。
このような状態で、光ＸＣ２と光ＸＣ５との間に障害が発生した場合を考える。この場合、光ＸＣ２と光ＸＣ５とを接続する現用光ファイバ１１によって構成される優先信号用の伝送経路は、迂回経路に切り替えられ、且つ、その迂回経路は、予備光ファイバ１２によって構成されることになる。
具体的には、光ＸＣ１、２、５、８を結び、現用光ファイバ１１によって構成される優先信号用の伝送経路は、障害箇所である光ＸＣ２と光ＸＣ５の間が、光ＸＣ２、３、６、５を結び、予備光ファイバ１２によって構成される迂回経路に切り替えられる。また、光ＸＣ２、５、８、９を結び、現用光ファイバ１１によって構成される優先信号用の伝送経路は、障害箇所である光ＸＣ２と光ＸＣ５の間が、光ＸＣ２、３、６、５を結び、予備光ファイバ１２によって構成される迂回経路に切り替えられる。
一方、光ＸＣ２と光ＸＣ５とを接続する予備光ファイバ１２を含むＰＣＡ信号用の伝送経路は、その全体が消去される。
以下においては、迂回経路中に配置される光クロスコネクト装置（図２２では光ＸＣ３及び６）について説明する。
図２３及び図２４は、図２２に示す伝送経路切り替えが行われる場合における光クロスコネクト装置内の予備光クロスコネクト部の構成例を示す図である。なお、これらの図において、太実線は優先信号の伝送経路を示し、太点線はＰＣＡ信号の伝送経路を示す。また、光クロスコネクト装置の予備光クロスコネクト部以外の構成は、図１１及び図１２と同様の構成を有する。
図２３及び図２４における予備光クロスコネクト部１２０は、入力側において、ｋ本の予備光ファイバ（Ｐ）２０２によって局外の装置と接続され、出力側において、ｋ本の予備光ファイバ（Ｐ）３０２によって局外の装置と接続されている。
この予備光クロスコネクト部１２０は、光スイッチ１６１、光分波器１６２−１〜１６２−ｒ（以下、これらをまとめて適宜「光分波器１６２」と称する）、光−電気−光変換器（Ｏ／Ｅ／Ｏ）１６３−１−１〜１６３−ｒ−ｍ（以下、これらをまとめて適宜「Ｏ／Ｅ／Ｏ１６３」と称する）、光スイッチ１６４−１−１〜１６４−ｒ−ｍ（以下、これらをまとめて適宜「光スイッチ１６４」と称する）、光−電気−光変換器（Ｏ／Ｅ／Ｏ）１６５−１−１〜１６５−ｒ−ｍ（以下、これらをまとめて適宜「Ｏ／Ｅ／Ｏ１６５」と称する）、光合波器１６６−１−１〜１６６−ｒ−ｍ（以下、これらをまとめて適宜「光合波器１６６」と称する）、光スイッチ１６７により構成される。
送信ノードから受信ノードまでの伝送経路が正常である場合には、図２３に示すように、局外の装置からの波長多重された非優先信号は、予備光ファイバ２０２を伝送され、光スイッチ１６１に入力される。
光スイッチ１６１は、光信号が入力されると、当該光信号の伝送経路に応じてスイッチングを行い、現用光クロスコネクト部内の光分波器１１１（図示せず）又は光分配器１６２へ出力する。ここでは、光スイッチ１６１は、非優先信号のみが入力される。このため、光スイッチ１６１は、当該非優先信号を光分波器１６２へ出力する。
光分波器１６２は、波長多重された非優先信号を個々の波長（ここではλ１〜λｎ）の光信号に分波してＯ／Ｅ／Ｏ１６３へ出力する。Ｏ／Ｅ／Ｏ１６３は、入力される光信号を電気信号に変換し、波形整形、増幅等を行った後、光信号に再度変換して光スイッチ１６４へ出力する。
光スイッチ１６４−１−１〜１６４−ｒ−ｎは、入力側がＯ／Ｅ／Ｏ１６３及び非優先信号用の局内回線２１３と１対１に接続されるとともに、出力側がＯ／Ｅ／Ｏ１６５及び非優先信号用の局内回線３１３と１対１に接続されている。これら光スイッチ１６４は、Ｏ／Ｅ／Ｏ１６３及び非優先信号用の局内回線２１３からの非優先信号が入力されると、当該非優先信号の伝送経路に応じてスイッチングを行い、当該非優先信号を局外へ伝送する必要のある場合にはＯ／Ｅ／Ｏ１６５へ出力し、局内に取り込む必要のある場合には非優先信号用の局内回線３１３へ出力する。
Ｏ／Ｅ／Ｏ１６５は、入力される光信号を電気信号に変換し、波形整形、増幅等を行った後、光信号に再度変換して光合波器１６６へ出力する。光合波器１６６は、入力される光信号（非優先信号）を波長多重して光スイッチ１６７へ出力する。光スイッチ１６７は、非優先信号が入力されると、スイッチングを行い、予備光ファイバ３０２へ出力する。
一方、送信ノードから受信ノードまでの伝送経路に障害が発生した場合には、図２４に示すように、局外の装置から予備光ファイバ２０２を伝送された優先信号は、光スイッチ１６１に入力される。光スイッチ１６１は、優先信号が入力されると、当該優先信号の伝送経路に応じてスイッチングを行う。ここでは、優先信号が入力される。このため、光スイッチ１６１は、当該優先信号を現用光クロスコネクト部内の光分波器１１１（図示せず）へ出力する。現用光クロスコネクト部は、優先信号が入力されると、図１２において説明した手順と同様に、スイッチング等を行う。
また、現用光クロスコネクト部内の光合波器１１４は、光クロスコネクト装置が優先信号の迂回経路中に配置されている場合、入力される優先信号を予備光クロスコネクト部１２０内の光スイッチ１６７へ出力する。光スイッチ１６７は、優先信号が入力されると、当該優先信号の伝送経路に応じてスイッチングを行い、予備光ファイバ３０２へ出力する。
一方、伝送経路内に障害箇所を含まない非優先信号については、図２３の場合と同様、予備光クロスコネクト部１２０に入力される。そして、この非優先信号は、光スイッチ１６１、光分波器１６２、Ｏ／Ｅ／Ｏ１６３、光スイッチ１６４、Ｏ／Ｅ／Ｏ１６５、光合波器１６６を介して光スイッチ１６７へ入力される。光スイッチ１６７は、出力先となる予備光ファイバ３０２が優先信号の迂回経路でない場合には、入力される光信号を当該予備光ファイバ３０２へ出力する。
ところで、図２３及び図２４では、光スイッチ１６８は、Ｏ／Ｅ／Ｏ１６３、局内回線２１３、Ｏ／Ｅ／Ｏ１６５及び局内回線３１３と１対１に構成されているが、図２５に示すように、光分波器１６２及び光合波器１６５と１対１に対応するように構成され、複数のＯ／Ｅ／Ｏ１６３及び複数の局内回線２１３からの非優先信号を入力し、複数のＯ／Ｅ／Ｏ１６５及び局内回線３１３へ非優先信号を出力する光スイッチ１６８を備えるようにしても良い。
また、図２６に示すように、光分波器１６２及び光合波器１６５と１対１に対応するように構成され、電気信号のスイッチングを行う電気スイッチ１７０と、５光分波器１６２によって分波された各光信号を入力して電気信号に変換し、電気スイッチ１７０へ出力する複数の光−電気変換器（Ｏ／Ｅ）１６９と、電気スイッチ１７０からの電気信号を入力して光信号に変換し、光合波器１６５へ出力する電気−光変換器（Ｅ／Ｏ）１７１を備えるようにしても良い。
更には、図２６に示すＯ／Ｅ１６９、電気スイッチ１７０及びＥ／Ｏ１７１に代えて、図２７に示すように、Ｏ／Ｅ及びＥ／Ｏを内蔵する電気スイッチ１７２を備えるようにしても良い。
また、局内へ非優先信号を出力する構成と、局内からの非優先信号を入力する構成とを、予備光クロスコネクト部１２０の外部に備えるようにしても良い。
図２８は、図２２に示す伝送経路切り替えが行われる場合における光クロスコネクト装置内の予備光クロスコネクト部、ＰＣＡ出力部及びＰＣＡ入力部の構成例を示す図である。なお、これらの図において、太実線は優先信号の伝送経路を示し、太点線はＰＣＡ信号の伝送経路を示す。また、光クロスコネクト装置の予備光クロスコネクト部以外の構成は、図１１及び図１２と同様の構成を有する。
図２８における予備光クロスコネクト部１２０は、図２３及び図２４と比較すると、Ｏ／Ｅ／Ｏ１６３、光スイッチ１６４及びＯ／Ｅ／Ｏ１６５に代えて、Ｏ／Ｅ／Ｏ１７３を備えている。また、光スイッチ１６１は、出力端にＰＣＡ出力部１８０が接続されており、予備光クロスコネクト部１２０に収容された非優先信号を局内へ出力するようになっている。一方、光スイッチ１６７は、入力端にＰＣＡ入力部１９０が接続され、当該光スイッチ１６７が局内からの非優先信号を予備光クロスコネクト部１２０に収容するようになっている。
局外から局内への非優先信号が予備光ファイバ２０２を介して予備光クロスコネクト部１２０へ入力されると、光スイッチ１６１は、予備光ファイバ２０２からの非優先信号が入力されると、局内へ収容する必要がある場合には、当該非優先信号をＰＣＡ出力部１８０へ出力する。
ＰＣＡ出力部１８０は、予備光ファイバ２０２の本数と同数の光分波器１８１−１〜１８１−ｋ（以下、これらをまとめて適宜「光分波器１８１」と称する）と、光−電気−光変換器（Ｏ／Ｅ／Ｏ）１８２−１−１〜１８２−ｋ−ｎ（以下、これらをまとめて適宜「Ｏ／Ｅ／Ｏ１８２」と称する）を備える。
光分波器１８１は、波長多重された優先信号を個々の波長（ここではλ１〜λｎ）の光信号に分波してＯ／Ｅ／Ｏ１８２へ出力する。Ｏ／Ｅ／Ｏ１８２は、入力される光信号を電気信号に変換し、波形整形、増幅等を行った後、光信号に再度変換して局内へ出力する。
一方、局内から局外への非優先信号は、ＰＣＡ入力部１９０へ入力される。ＰＣＡ入力部１９０は、光−電気−光変換器（Ｏ／Ｅ／Ｏ）１９１−１−１〜１９１−ｋ−ｎ（以下、これらをまとめて適宜「Ｏ／Ｅ／Ｏ１９１」と称する）と、予備光ファイバ３０２の本数と同数の光合波器１９２−１〜１９２−ｋ（以下、これらをまとめて適宜「光合波器１９２」と称する）を備える。
Ｏ／Ｅ／Ｏ１９１は、入力される局内からの光信号（非優先信号）を電気信号に変換し、波形整形、増幅等を行った後、光信号に再度変換して光合波器１９２へ出力する。光合波器１９２は、入力される光信号（非優先信号）を波長多重して光スイッチ１６７へ出力する。
光スイッチ１６７は、ＰＣＡ入力部１９０からの非優先信号が入力されると、局外へ出力する必要がある場合には、当該非優先信号を予備光ファイバ３０２へ出力する。
ところで、図２８では、ＰＣＡ入力部１９０内の光合波器１９２は、予備光ファイバ３０２に対応するように、当該予備光ファイバ３０２の本数と同数だけ備えられているが、図２９に示すように１つの光合波器１９２のみを備え、当該光合波器１９２からの光信号を分配して光スイッチ１６７へ出力する光分配器（ＤＩＳ）１９３を備える構成にしても良い。
また、図３０に示すように、ＰＣＡ出力部１８０において、光分波器１８１とＯ／Ｅ／Ｏ１８２との間に光分岐部（ＢＲＡ）１８３を備えるとともに、ＰＣＡ入力部１９０において、Ｏ／Ｅ／Ｏ１９１と光合波器１９２との間に光選択部１９４を備え、これら光分岐部１８３と光選択部１９４とを接続する構成としても良い。この場合には、送信ノードから受信ノードまでの伝送経路の正常時においては、予備光ファイバ２０２から入力され、予備光ファイバ３０２へ出力される非優先信号、即ち、局内へ収容する必要のない非優先信号は、光分岐部１８３から光選択部１９４へ伝送されることになる。更には、図３１に示すように、光分岐部（ＢＲＡ）１８３に代えて光分配部（ＤＩＳ）１８４を備えるようにしても良い。
このように本発明によれば、光クロスコネクト装置は、送信ノードから受信ノードまでの伝送経路が正常の場合には、優先信号のみならず非優先信号についてもスイッチングを行い、伝送することにより、帯域の有効利用を図ることができ、一方、伝送経路に障害が発生した場合には、優先信号のみについてスイッチングを行い、伝送することにより、障害により帯域が減少しても優先信号を優先的に伝送することが可能となる。即ち、本発明によれば、伝送の優先度に応じた通信制御、具体的には、伝送経路に障害が発生した場合に、伝送の優先度の高い信号を優先的に伝送することが可能となる。
【図１】
2004084504.tif 000003
【図２】
2004084504.tif 000004
【図３】
2004084504.tif 000005
【図４】
2004084504.tif 000006
【図５】
2004084504.tif 000007
【図６】
2004084504.tif 000008
【図７】
2004084504.tif 000009
【図８】
2004084504.tif 000010
【図９】
2004084504.tif 000011
【図１０】
2004084504.tif 000012
【図１１】
2004084504.tif 000013
【図１２】
2004084504.tif 000014
【図１３】
2004084504.tif 000015
【図１４】
2004084504.tif 000016
【図１５】
2004084504.tif 000017
【図１６】
2004084504.tif 000018
【図１７】
2004084504.tif 000019
【図１８】
2004084504.tif 000020
【図１９】
2004084504.tif 000021
【図２０】
2004084504.tif 000022
【図２１】
2004084504.tif 000023
【図２２】
2004084504.tif 000024
【図２３】
2004084504.tif 000025
【図２４】
2004084504.tif 000026
【図２５】
2004084504.tif 000027
【図２６】
2004084504.tif 000028
【図２７】
2004084504.tif 000029
【図２８】
2004084504.tif 000030
【図２９】
2004084504.tif 000031
【図３０】
2004084504.tif 000032
【図３１】
2004084504.tif 000033
【国際調査報告】
2004084504.tif 000034
2004084504.tif 000035
2004084504.tif 000036
2004084504.tif 000037
2004084504.tif 000038